(57)【要約】【課題】  インデキシング情報を作成する際に、人の感情の変化を映像視聴に集中した状態でインデキシング情報に反映させる。【解決手段】  映像データを検索するためのインデキシング情報を作成するインデキシング装置３０であって、被験者Ｔの生体情報を収集するための生体センサ群３４と、映像データを再生する際に、再生量に応じて再生量情報を送出する映像再生制御部３３と、送出された再生量情報を収集された生体情報と関連付けてインデキシング情報を作成し、このインデキシング情報を生体情報蓄積部１２に記録する各種記録部３５と、を備える。これにより、被験者Ｔは映像を視聴する際に、意識して情報を入力する必要が無く、映像の視聴に集中できるので、感情の変化を忠実に反映した生体情報を収集できる。【選択図】  図１
2005080000.tif 000002
【特許請求の範囲】
【請求項１】
映像データを検索するためのインデキシング情報を作成するインデキシング装置であって、
被検体の生体情報を収集するための生体情報収集手段と、
前記映像データを再生する際に、再生量に応じて再生量情報を送出する再生量送出手段と、
前記送出された再生量情報と前記収集された生体情報とを関連付けてインデキシング情報を作成し、このインデキシング情報を記憶装置に記録するインデキシング情報記録手段と、
を備えたことを特徴とするインデキシング装置。
【請求項２】
映像データの再生量情報と前記映像データの再生中に収集された生体情報とを互いに関連付けてなるインデキシング情報が記録された記憶装置を読出すための読出手段と、
予め生体情報パターンと感情種別情報とが関連付けられて記憶された生体情報パターン記憶手段と、
入力された感情種別情報に従って前記生体情報パターン記憶手段内の生体情報パターンを検索し、得られた生体情報パターンに基づいて、前記読出手段を介して記憶装置内の生体情報のパターンに対応する再生量情報を検索する再生量検索手段と、
前記検索された再生量情報に基づいて映像データを検索し、得られた映像データを再生するための映像再生手段と、
を備えたことを特徴とする映像再生装置。
【請求項３】
請求項２に記載の映像再生装置において、
前記記憶装置は、複数本の映像データが記憶され、且つ各映像データ毎に複数のインデキシング情報が記憶されており、
前記再生量検索手段は、
前記感情種別情報に従って得られた生体情報パターンに基づいて、前記読出手段を介して記憶装置内の各インデキシング情報を検索し、該当する生体情報のパターンの頻度に応じて各映像データの選択を支援する映像選択支援部と、
前記支援により選択された映像データにおける前記生体情報のパターンに対応する再生量情報を検索する再生量検索部と、
を備えたことを特徴とする映像再生装置。
【請求項４】
請求項２に記載の映像再生装置において、
前記記憶装置は、映像データ毎に、複数の被検体から収集した複数の生体情報に前記再生量情報を関連付けて作成される複数のインデキシング情報と、前記各インデキシング情報に関連付けられた各被検体の属性情報とが記憶されており、
指定された映像データに基づいて前記記憶装置から対応する被検体の属性情報を検索し、得られた属性情報を出力する属性情報検索手段と、
を備えたことを特徴とする映像再生装置。
【請求項５】
映像データを検索するためのインデキシング情報を作成するインデキシング方法であって、
被検体の生体情報を収集する工程と、
前記映像データを再生する際に、再生量に応じて再生量情報を送出する工程と、
前記送出された再生量情報と前記収集された生体情報とを関連付けてインデキシング情報を作成し、このインデキシング情報を記憶装置に記録する工程と、
を備えたことを特徴とするインデキシング方法。
【発明の詳細な説明】
【技術分野】
【０００１】
本発明は、映像データのインデキシング（索引）情報を作成するインデキシング装置と、インデキシング情報に基づいて映像を検索・再生する映像再生装置とからなる映像再生システムに用いられるインデキシング装置、映像再生装置及び方法に関する。
【背景技術】
【０００２】
一般に、インデキシング情報を用いて映像を再生するための映像再生システムが知られている。かかる映像再生システムとしては、映像の特徴情報と、再生量情報（先頭からの相対時間）とを関連付けたインデキシング情報を生成して活用した例が多々ある。ここで、映像の特徴情報には、例えば映像シーンの変化点、テロップ（文字）の文字情報、音声を変換して得た文字情報、カメラ動作の変化点、人手による書込情報がある。映像再生システムは、これら特徴情報及び再生量情報からなるインデキシング情報に基づいて、映像全体から特定の映像を検索して先頭から再生し、又は映像中の特定シーンを検索し、特定シーンから再生する方式が実現されている。
【０００３】
なお、この出願に関連する先行技術文献情報としては特許文献１〜３がある。特許文献１は、視聴者の現在の感情に合ったストーリの映像データを取得して再生する技術が開示されている（段落［００３０］及び図７参照）。特許文献２は、互いに対応する時刻情報列Ｔと静止画像列Ｐとを表示させることにより、映像の検索、閲覧を効率的に行なう技術が開示されている（段落［００１１］、［００１２］、［００２０］、図３及び図４参照）。特許文献３は、感性的なキーワードを用いて、コンテンツソフトを検索する技術が開示されている（段落［０００６］及び［０００７］参照）。
【特許文献１】特開２００２−３００５６３号公報
【特許文献２】特開２００２−２６２２３８号公報
【特許文献３】特開２００２−９９５７４号公報
【発明の開示】
【発明が解決しようとする課題】
【０００４】
しかしながら、以上のような映像再生システムは、インデキシング情報が映像・音声データから作成されることから、本発明者の検討によれば、インデキシング情報に人の感情の変化が反映されていないため、視聴者の望む感情に応じた映像を視聴者に取得させることはできず、改良の余地があると考えられる。
【０００５】
人の感情を反映させる改良方法としては、例えば、感情入力専用の入力装置を用い、映像を見ながら、恐怖を感じたシーンで恐怖ボタンを操作し、笑ったシーンで笑いボタンを操作する等の方式が考えられる。しかしながら、この方式は映像視聴に集中できない欠点がある。
【０００６】
また、前述した特許文献１〜３に記載の技術はそれぞれ次のような状況にある。特許文献１に記載の技術は、視聴者の現在の感情に合った映像データを取得して再生するものであり、視聴者のこれから味わいたい感情の映像データを取得するものではない。例えば現在の感情が平静で、味わいたい感情が恐怖の場合、特許文献１に記載の技術は不向きである。特許文献２に記載の技術は、視聴者の感情とは無関係な技術である。特許文献３に記載の技術は、感性的なキーワードを段階評点（数値化）する必要があり（段落［００１７］及び［００１９］参照）、手間がかかる。
【０００７】
本発明は上記実情を考慮してなされたもので、視聴者が映像視聴に集中することが可能な状態で、人の感情の変化をインデキシング情報に反映し得るインデキシング装置及び方法を提供することを目的とする。
【０００８】
本発明の他の目的は、人の感情の変化を反映したインデキシング情報を用いて、視聴者の所望する感情に対応した映像を再生し得る映像再生装置及び方法を提供することにある。
【課題を解決するための手段】
【０００９】
第１の発明は、映像データを検索するためのインデキシング情報を作成するインデキシング装置であって、被検体の生体情報を収集するための生体情報収集手段と、前記映像データを再生する際に、再生量に応じて再生量情報を送出する再生量送出手段と、前記収集された生体情報と前記送出された再生量情報とを関連付けてインデキシング情報を作成し、このインデキシング情報を記憶装置に記録するインデキシング情報記録手段とを備えたインデキシング装置である。
【００１０】
第１の発明によれば、被検体から生体情報を収集してインデキシング情報を作成するので、被検体は映像視聴に集中することが可能となり、人の感情の変化をより忠実にインデキシング情報に反映させることができる。
【００１１】
第２の発明は、映像データの再生量情報と前記映像データの再生中に収集された生体情報とを互いに関連付けて作成されるインデキシング情報が記録された記憶装置を読出すための読出手段と、予め生体情報パターンと感情種別情報とを関連付けて記憶された生体情報パターン記憶手段と、入力された感情種別情報に従って前記生体情報パターン記憶手段内の生体情報パターンを検索し、得られた生体情報パターンに基づいて、前記読出手段を介して記憶装置内の生体情報パターンに対応する再生量情報を検索する再生量検索手段と、前記検索された再生量情報に基づいて映像データを検索し、得られた映像データを再生するための再生手段と、を備えた映像再生装置である。
【００１２】
第２の発明によれば、感情種別情報と関連付けられている生体情報パターンに基づいて、インデキシング情報内の生体情報パターンに対応する再生量情報を検索するので、人の感情の変化を反映したインデキシング情報を用いて視聴者が所望する感情に対応した映像を再生することができる。
【００１３】
なお、第１及び第２の発明は、個々の装置を「装置」の形態で表現したが、これに限らず、個々の装置又は装置の集合体を「方法」、「システム」、「コンピュータ読取り可能な記憶媒体」又は「プログラム」等といった任意の形態で表現しても良いことは言うまでもない。
【発明の効果】
【００１４】
以上説明したように本発明によれば、人の感情の変化を映像視聴に集中した状態でインデキシング情報に反映できる。また、人の感情の変化を反映したインデキシング情報を用いて視聴者が所望する感情に対応した映像を再生できる。
【発明を実施するための最良の形態】
【００１５】
以下、本発明の各実施形態について図面を参照して説明する。  
（第１の実施形態）
図１は本発明の第１の実施形態に係る映像再生システムの構成を示す模式図である。この映像再生システムは、記憶装置１０、表示装置２０、インデキシング装置３０、視聴者端末４０及び再生装置５０を備えており、インデキシング処理と映像検索・再生処理とを実行可能となっている。
【００１６】
インデキシング処理は、記憶装置１０、表示装置２０及びインデキシング装置３０により実行される。映像検索・再生処理は、記憶装置１０、視聴者端末４０及び再生装置５０により実行される。なお、インデキシング処理の実行後、記憶装置１０をコピーして新たな記憶装置１０’を作成することにより、インデキシング処理を実行する装置群１０，２０，３０と、映像検索・再生処理を実行する装置群１０’，４０，５０とを分離して設けても良い。以下、各装置１０〜５０について説明する。
【００１７】
記憶装置１０は、映像蓄積部１１及び生体情報蓄積部１２を備えている。
【００１８】
映像蓄積部１１は、タイトル情報毎に映像データが蓄積されたものであり、インデキシング装置３０及び再生装置５０から読出可能となっている。
【００１９】
生体情報蓄積部１２は、インデキシング装置３０から記録されたタイトル情報毎のインデキシング情報が蓄積されるものであり、再生装置５０から読出可能となっている。インデキシング情報とは、後述する映像の再生量情報と被検者Ｔの生体情報とを関連付けたものである。
【００２０】
表示装置２０は、インデキシングを行う映像を表示するための液晶パネル等の装置であり、例えば、インデキシング装置３０から送出される映像データを表示出力する機能をもっている。
【００２１】
インデキシング装置３０は、映像再生部３１、リモコン装置３２、映像再生制御部３３、生体センサ群３４及び各種記録部３５を備えている。
【００２２】
映像再生部３１は、映像再生制御部３３からのインデキシングの指示により、映像蓄積部１１に蓄積されている映像データのタイトル情報を表示装置２０に送出する機能と、映像再生制御部３３から映像再生の指示を受けると、指示された映像データを表示装置２０に送出して再生すると共に、この映像データのタイトル情報と、映像データの再生量に応じた再生量情報の両者を映像再生制御部３３に送出する機能とをもっている。ここで、タイトル情報とは、映像データを識別する識別情報であり、例えばタイトル名や識別コードが使用可能となっており、再生開始時に１回だけ送出すればよい。また、再生量情報とは、再生中の映像の位置情報であり、例えば、映像の先頭からの相対時間が使用可能となっており、再生中は継続的に送出される必要がある。
【００２３】
リモコン装置３２は、被験者Ｔの操作により、インデキシングの指示や映像再生の指示を映像再生制御部３３に送信する装置であり、通常のＶＴＲ(Video Tape Recorder)装置等のリモコン装置が適用可能となっている。
【００２４】
映像再生制御部３３は、リモコン装置３２から受けたインデキシングの指示や映像再生の指示を映像再生部３１に送出する機能と、リモコン装置３２から受けた映像再生の指示に基づいて各種記録部３５を起動する機能と、映像再生部３１から受けたタイトル情報及び再生量情報を各種記録部３５に送出する機能とをもっている。
【００２５】
生体センサ群３４は、インデキシング処理の前に予め被験者Ｔに取り付けられ、被験者Ｔの感情に関連する生体情報を計測して各種記録部３５に収集するための複数種類の生体センサであり、ここでは、心拍計、心電図、筋電図、発汗計等に用いられる各種の生体センサが使用されている。なお、生体センサ群３４は、複数種類に限らず、１種類の生体センサから構成してもよい。
【００２６】
各種記録部３５は、映像再生制御部３３により起動され、映像再生制御部３３から受けた再生量情報と生体センサ群３４から受けた各種の生体情報とを関連付けてインデキシング（索引）情報を作成し、このインデキシング情報を、映像再生制御部３３から受けたタイトル情報と関連させて生体情報蓄積部１２に記録する機能とをもっている。
【００２７】
視聴者端末４０は、映像を視聴する複数の視聴者Ｖに個別に操作される複数のパーソナルコンピュータ（以下、パソコンという）等の端末装置であり、入力装置４１、パソコン本体４２及び表示装置４３を備えている。
【００２８】
入力装置４１は、パソコン本体４２に接続されたキーボード及びマウス等の入力デバイスであり、例えば、感情種別情報の入力やタイトル情報の指示に使用されるものである。
【００２９】
パソコン本体４２は、通常のパソコン機能を有するものであり、例えば、入力装置４１から入力された感情種別情報やタイトル情報の指示を映像検索部５２に入力する機能と、映像検索部５２から受けたタイトル情報を視聴者が一覧できるようタイトル情報リストにし、表示装置４３に送出する機能と、映像再生部５３から順次送出される映像データを表示装置４３に送出する機能とをもっている。
【００３０】
表示装置４３は、パソコン本体４２に接続された液晶パネル等の表示装置であり、例えば、パソコン本体４２から送出されるタイトル情報リストや映像データを表示出力する機能をもっている。
【００３１】
再生装置５０は、生体情報パターン蓄積部５１、映像検索部５２及び映像再生部５３を備えている。
【００３２】
生体情報パターン蓄積部５１は、予め生体情報パターンと感情種別情報とが関連付けられて記憶されたものであり、感情種別情報を検索キーにして映像検索部５２から読出可能となっている。感情種別情報とは、恐怖、笑いといった感情の種類を表す情報である。生体情報パターンとは、例えば、恐怖に応じた心拍数の上昇パターンといった、感情に応じてそれぞれ特徴付けられる生体情報パターンを表すものである。
【００３３】
映像検索部５２は、視聴者端末４０から入力された感情種別情報に従って生体情報パターン蓄積部５１内の生体情報パターンを検索し、得られた生体情報パターンに基づいて、生体情報蓄積部１２内の生体情報パターンに対応するタイトル情報及び再生量情報を検索する機能と、検索結果に該当する映像データのタイトル情報リストを視聴者端末４０に送出する機能とをもっている。
【００３４】
また、映像検索部５２は、視聴者端末４０の指示に基づいて、タイトル情報のみ、又はタイトル情報と再生量情報の両者を映像再生部５３に送出する機能とをもっている。
【００３５】
映像再生部５３は、映像検索部５２から受けたタイトル情報のみに基づいて映像蓄積部１１を検索し、該当する映像データを先頭から視聴者端末４０に送出して再生する機能と、映像検索部５２から受けたタイトル情報及び再生量情報に基づいて映像蓄積部１１を検索し、該当する映像データの該当する再生量部分を視聴者端末４０に送出して再生する機能とをもっている。
【００３６】
次に、以上のように構成された映像再生システムの動作をインデキシング処理及び映像検索・再生処理の順に説明する。  
（インデキシング処理）
リモコン装置３２は、被験者Ｔの操作により、インデキシングの指示を映像再生制御部３３に送信する。映像再生制御部３３は、インデキシングの指示を映像再生部３１に送出する。映像再生部３１は、インデキシングの指示を受けると、映像蓄積部１１内の映像データのタイトル情報を表示装置２０に表示させる。
【００３７】
続いて、リモコン装置３２は、被験者Ｔの操作により、表示中のタイトル情報のリストからいずれかを選択する。これにより、インデキシングが行われる映像データが選択される。また、生体センサ群３４は被験者Ｔに取り付けられ、インデキシングの準備が完了する。
【００３８】
リモコン装置３２は、被験者Ｔの操作により、映像再生の指示を映像再生制御部３３に送信する。映像再生制御部３３は、映像再生の指示を映像再生部３１に送出すると共に、各種記録部３５を起動する。
【００３９】
映像再生部３１は、映像再生の指示を受けると、指示された映像データを表示装置２０に送出して再生すると共に、この映像データのタイトル情報と、映像データの再生量に応じた再生量情報の両者を映像再生制御部３３に送出する。
【００４０】
映像再生制御部３３は、このタイトル情報と再生量情報とを各種記録部３５に送出する。  
一方、被験者Ｔは、表示装置２０に表示された映像の視聴中、映像内容に応じて感情が変化する。生体センサ群３４は、この感情の変化に関連する生体情報を計測して各種記録部３５に継続して送出する。
【００４１】
各種記録部３５は、送出される再生量情報と生体情報とを関連付けてインデキシング情報を作成し、このインデキシング情報を、映像再生制御部３３から受けたタイトル情報と関連させて生体情報蓄積部１２に記録する。  
映像データの再生が終了すると、インデキシング情報の記録も終了する。
【００４２】
（映像検索・再生処理）
視聴者端末４０は、視聴者Ｖによる入力装置４１の操作により、指示された感情種別情報を映像検索部５２に入力する。
【００４３】
映像検索部５２は、この感情種別情報に従って生体情報パターン蓄積部５１内の生体情報パターンを検索し、得られた生体情報パターンに基づいて、生体情報蓄積部１２内の生体情報パターンと対応するタイトル情報及び再生量情報を検索する。
【００４４】
しかる後、映像検索部５２は、検索結果に該当する映像データのタイトル情報リストを視聴者端末４０に送出する。このタイトル情報リストは、視聴者端末４０の表示装置４３に表示される。
【００４５】
なお、映像検索部５２では、単に該当するタイトル情報リストを表示させる場合に限らず、感情種別情報と再生量情報とを表示させることもできる。この場合、例えば、映像の先頭から５分目と１４分目と３０分目に「恐怖シーン」があるなどの情報を視聴者Ｖに知らせることができる。
【００４６】
次に、視聴者端末４０は、視聴者Ｖによる入力装置４１の操作により、例えば、タイトル情報のみを映像検索部５２を介して映像再生部５３に入力したとする。この場合、映像再生部５３は、タイトル情報のみに基づいて映像蓄積部１１を検索し、該当する映像データを読み出して、映像再生の準備を行なう。
【００４７】
しかる後、映像検索部５２から再生指示を映像再生部５３に入力すると、映像再生部５３は、準備した映像データを先頭から視聴者端末４０に送出して再生を始め、視聴者端末４０の表示装置４３に映像が表示される。
【００４８】
なお、視聴者端末４０は、前述したタイトル情報リスト内のタイトル情報を入力するとき、タイトル情報と再生量情報の両者を映像検索部５２を介して映像再生部５３に入力することができる。例えば１４分目の「恐怖シーン」を選択すると、映像検索部５２から選択された映像データの１４分目から再生するように、映像再生部５３に再生量情報が伝えられる。
【００４９】
この場合、映像再生部５３は、準備した映像データのうち、再生量情報に該当する１４分目の「恐怖シーン」を視聴者端末４０に送出して再生を始め、視聴者端末４０の表示装置４３に映像が表示される。
【００５０】
本実施形態によれば、インデキシング処理においては、被験者Ｔから生体情報を収集してインデキシング情報を作成するので、人の感情の変化を映像視聴に集中した状態でインデキシング情報に反映させることができる。詳しくは、被験者Ｔが映像を視聴する際に、意識して情報を入力する必要が無く、映像の視聴に集中できるので、感情の変化を忠実に反映した生体情報を収集することができる。
【００５１】
一方、映像データの検索・再生処理においては、感情種別情報に関連した生体情報パターンに基づいて、インデキシング情報内の生体情報パターンと対応する再生量情報を検索するので、人の感情の変化を反映したインデキシング情報を用いて視聴者が所望する感情に対応する映像を再生することができる。
【００５２】
また、映像データのタイトル情報を表示する際に、感情種別情報と再生量情報とを表示させる場合、人の感情の変化、例えば、怒り・喜び・悲しみ・恐怖・驚き・緊張・不安などを呼び起こすシーンがどの映像データにどの程度入っているかを視聴者Ｖに知らせることができるので、視聴者は、所望する映像データを高い精度で選択することができる。
【００５３】
また、生体情報パターン蓄積部５１を映像蓄積部１１及び生体情報蓄積部１２とは独立して準備することが可能であり、より精度の高い生体情報パターンに適宜変更することができる。
【００５４】
（第２の実施形態）
図２は本発明の第２の実施形態に係る映像再生システムの構成を示す模式図であり、図１と同一部分には同一符号を付してその詳しい説明を省略し、ここでは主に異なる部分について述べる。これは以下の各実施形態でも同様である。
【００５５】
本実施形態は、第１の実施形態の変形例であり、１つの映像データ毎に複数名の被験者Ｔの生体情報を収集し、複数のインデキシング情報を作成する構成により、インデキシング情報の客観性の向上を図るものである。
【００５６】
これに伴い、本実施形態では、リモコン装置３２及び生体センサ群３４に代えて、ｎ個のリモコン装置３２１〜３２ｎ及び生体センサ群３４１〜３４ｎを設け、且つ複数のインデキシング情報に対応した映像再生制御部３３ａ、各種記録部３５ａ、生体情報蓄積部１２ａ、映像検索部５２ａを備えている。なお、リモコン装置３２１〜３２ｎは、被験者Ｔの代表者が操作する場合、１台でも良い。
【００５７】
ここで、生体情報蓄積部１２ａは、各種記録部３５ａにより、映像データ毎に作成された複数のインデキシング情報が、各映像データに対応するタイトル情報毎に記憶されたものであり、映像検索部５２ａから読出可能となっている。
【００５８】
映像再生制御部３３ａは、リモコン装置３２１〜３２ｎのいずれかから受けた指示に基づいて、前述した映像再生制御部３３の機能を実行するものである。
【００５９】
各種記録部３５ａは、前述した各種記録部３５の機能を実行するため、映像再生制御部３３ａから受けた再生量情報に生体センサ群３４１〜３４ｎの各生体情報を関連付けて複数のインデキシング情報を作成し、得られた各インデキシング情報にタイトル情報を関連付けて生体情報蓄積部１２ａに記録するものである。
【００６０】
映像検索部５２ａは、前述した映像検索部５２の機能に加え、視聴者端末４０から入力された感情種別情報に従って得られた生体情報パターンに基づいて、生体情報蓄積部１２ａ内の各インデキシング情報を検索し、該当する生体情報パターンの頻度に応じて各映像データの選択を支援する機能と、支援により選択された映像データにおける生体情報パターンに対応する再生量情報を生体情報蓄積部１２ａから検索する機能とをもっている。
【００６１】
映像データの選択を支援する機能は、映像蓄積部１１に蓄積された映像データのタイトル情報を感情種別情報及びその人数情報（被検者Ｔの人数）に組合せてソートし、表示装置４３に表示して、視聴者Ｖが、タイトル情報の選択を容易にできるよう支援する機能である。
【００６２】
これにより、例えば、映像蓄積部１１内の映像データのうち、恐怖度の高い順に上からタイトル情報を並べることが可能となる。なお、恐怖度は、生体情報パターン蓄積部５１内の恐怖を示す生体情報パターンに基づいて、生体情報蓄積部１２ａ内の生体情報パターンを分析し、恐怖を感じたシーンの数と人数を係数として算出可能となっている。
【００６３】
ここで、恐怖度は一例であり、他の感情についてもそれぞれ同様に実行することができる。例えば、一番怖くない映画を見たいとか、一番笑える映画が見たいとか、恐怖シーンは少ないが悲しいシーンが多い映画が見たいとか、の感情種別情報に合致した映像データの候補を表示し、表示された映画を選択することによって映像を再生可能としている。
【００６４】
また、映像検索部５２ａは、選択された映像データに関し、前述同様に、タイトル情報を映像再生部５３に送出して映像データを先頭から再生させる場合と、タイトル情報及び再生量情報を映像再生部５３に送出して映像データを再生量情報の部分から再生させる場合とのいずれにも対応している。
【００６５】
本実施形態によれば、第１の実施形態の効果に加え、１つの映像データ毎に、複数名の被験者Ｔから収集した生体情報に基づいてインデキシング情報を作成するので、インデキシング情報の客観性を向上させることができる。
【００６６】
また、ある映像データに人間の感情に訴えるようなシーンがどの程度含まれるかを求め、映像の付帯情報として表示させることにより、映像選択を支援することができる。例えば、複数の映画の中から、多数の人が恐怖感を覚えた恐怖シーンを最も多く含む映像データを検索したり、この恐怖シーンの多い順にタイトル情報リストを表示させることができる。
【００６７】
（第３の実施形態）
図３は本発明の第３の実施形態に係る映像再生システムの構成を示す模式図である。  
本実施形態は、第１の実施形態の変形例であり、１つの映像データ毎に、複数名の被験者Ｔから収集した生体情報に基づいて複数のインデキシング情報を作成し、且つ被験者毎の属性情報（年齢・性別・出身地等）をインデキシング情報に関連付けて記録する構成により、被験者の属性とインデキシング情報との関係を分析可能としたものである。
【００６８】
これに伴い、本実施形態では、第２の実施形態と同様に、ｎ個のリモコン装置３２１〜３２ｎ及び生体センサ群３４１〜３４ｎを設けている。また、複数のインデキシング情報と属性情報に対応した映像再生制御部３３ｂ、各種記録部３５ｂ、生体情報蓄積部１２ｂ、映像分析部５４を備えている。
【００６９】
ここで、生体情報蓄積部１２ｂは、各種記録部３５ｂにより、映像データ毎に作成された複数のインデキシング情報及び属性情報が各映像データに対応するタイトル毎に記憶されたものであり、映像分析部５４から読出可能となっている。
【００７０】
映像再生制御部３３ｂは、リモコン装置３２１〜３２ｎ毎に、前述した映像再生制御部３３の機能を実行し、各リモコン装置３２１〜３２ｎの操作に応じて、被験者Ｔの属性情報を各種記録部３５ｂに入力する機能をもっている。
【００７１】
各種記録部３５ｂは、前述した各種記録部３５の機能に基づいて、映像再生制御部３３ａから受けた再生量情報に生体センサ群３４１〜３４ｎの各生体情報を関連付けて複数のインデキシング情報を作成し、得られた各インデキシング情報に、対応する各属性情報及びタイトル情報を関連付けて生体情報蓄積部１２ｂに記録するものである。
【００７２】
映像分析部５４は、前述した映像検索部５２の機能に加え、視聴者端末４０から指示されたタイトル情報に基づいて、生体情報蓄積部１２ｂから対応する被験者Ｔの属性情報を検索し、得られた属性情報をパソコン本体４２を介して表示装置４３に出力する機能をもっている。
【００７３】
これにより、視聴者端末４０は、分析者による入力装置４１の操作により、映像データ毎に種々の被験者Ｔの生体情報を分析し、映像データが与える感情種別情報とそのシーンの再生量情報とを年齢・性別・出身地などの属性情報に関連付けて表示装置４３に表示出力させることができる。
【００７４】
本実施形態によれば、第１の実施形態の効果に加え、複数のインデキシング情報を被験者Ｔの属性情報に関連付けて記録したことにより、各映像データの視聴者層に関する情報を評価・分析することができる。例えば、ある映画について、２０歳代女性は恐怖を感じるシーンが多いことが分かり、同じシーンであっても、男性と女性では捉え方が違うことなどが分かり、映画の評価に対する補足情報や映像制作者への情報提供などに活用することができる。
【００７５】
なお、上記各実施形態に記載した手法は、コンピュータに実行させることのできるプログラムとして、磁気ディスクなどの記憶媒体に格納して頒布することもできる。
【００７６】
また、コンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【００７７】
本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【００７８】
【図１】本発明の第１の実施形態に係る映像再生システムの構成を示す模式図である。
【図２】本発明の第２の実施形態に係る映像再生システムの構成を示す模式図である。
【図３】本発明の第３の実施形態に係る映像再生システムの構成を示す模式図である。
【符号の説明】
【００７９】
１０…記憶装置、１１…映像蓄積部、１２，１２ａ，１２ｂ…生体情報蓄積部、２０…表示装置、３０…インデキシング装置、３１…映像再生部、３２，３２１〜３２ｎ…リモコン装置、３３，３３ａ，３３ｂ…映像再生制御部、３４，３４１〜３４ｎ…生体センサ群、３５，３５ａ，３５ｂ…各種記録部、４０…視聴者端末、４１…入力装置、４２…パソコン本体、４３…表示装置、５０…再生装置、５１…生体情報パターン蓄積部、５２…映像検索部、５３…映像再生部。
【図１】
2005080000.tif 000003
【図２】
2005080000.tif 000004
【図３】
2005080000.tif 000005